(57)【特許請求の範囲】
【請求項１】
主キャビネットと主キャビネットの側部に並設したサイドキャビネットとで台所用のキャビネットを構成し、サイドキャビネットの上部に上面を開口した配線収納ボックスを設け、主キャビネットの上面側及びサイドキャビネットの配線収納ボックスの上面側に亙ってカウンターを載設してカウンターにて配線収納ボックスの上面の開口を閉塞し、内部の配線収納部に配線を収納した配線収納ボックスの前面の開口にこの開口を閉塞し得る前面蓋板を配置し、前面蓋板にスイッチをスイッチの表面側が前面蓋板の外面に露出するように配置し、スイッチから前面蓋板を介して配線収納ボックスに取り付けねじを打入することでスイッチを前面蓋板に取り付けると共に前面蓋板を配線収納ボックスに取り付けて成ることを特徴とする台所用のキャビネットの配線収納部へのスイッチ取り付け構造。
【発明の詳細な説明】
【０００１】
【発明の属する技術分野】
本発明は、台所用のキャビネットで内部に配線を収納した配線収納部の前面の開口を前面蓋板にて閉塞し、前面蓋板にスイッチを取り付ける構造に関するものである。
【０００２】
【従来の技術】
一般に、各種の電気機器に給電する場合、電源線がスイッチに接続され、スイッチの出力線が接続用端子台に接続され、電気機器への送り配線が接続用端子台に接続される。そして電源線の端部やスイッチの出力線や送り配線の端部や接続用端子台は配線収納部に収納されて配線収納部内で接続される。配線収納部の前面の開口にはこの開口を閉塞する前面蓋板が蓋用取り付けねじで取り付けられ、前面蓋板にはスイッチが配置されてこのスイッチがスイッチ用取り付けねじにて前面蓋板に取り付けられている。
【０００３】
【発明が解決しようとする課題】
ところで、スイッチのメンテナンスを行う場合、スイッチ用取り付けねじを外してスイッチを前面蓋板から取り外すことにより行うが、スイッチを外しただけではメンテナンスを容易に行うことができない。メンテナンスを行うとき、配線のチェックを行うことができると、メンテナンスが容易に行うことができるのであるが、スイッチを取り外すだけでは配線のチェックを行うことができない。配線のチェックを行うにはさらに蓋用取り付けねじを外して前面蓋板を配線収納部から取り外して配線収納部の前面の開口を開放しなければならなく、メンテナンスに手間がかかるという問題がある。
【０００４】
本発明は上記の点に鑑みてなされたものであって、取り付けねじを外してスイッチを取り外すとき前面蓋板も同時に外して前面開口を開放できるようにしてメンテナンスを容易にできるようにすることを課題とする。
【０００５】
【課題を解決するための手段】
上記課題を解決するため本発明の台所用のキャビネットの配線収納部へのスイッチ取り付け構造は、主キャビネットＡ１と主キャビネットＡ１の側部に並設したサイドキャビネットＡ２とで台所用のキャビネットＡを構成し、サイドキャビネットＡ２の上部に上面を開口した配線収納ボックス２２ｂを設け、主キャビネットＡ１の上面側及びサイドキャビネットＡ２の配線収納ボックス２２ｂの上面側に亙ってカウンター４１を載設してカウンター４１にて配線収納ボックス２２ｂの上面の開口を閉塞し、内部の配線収納部１に配線を収納した配線収納ボックス２２ｂの前面の開口にこの開口を閉塞し得る前面蓋板２を配置し、前面蓋板２にスイッチ３をスイッチ３の表面側が前面蓋板２の外面に露出するように配置し、スイッチ３から前面蓋板２を介して配線収納ボックス２２ｂに取り付けねじ４を打入することでスイッチ３を前面蓋板２に取り付けると共に前面蓋板２を配線収納ボックス２２ｂに取り付けて成ることを特徴とする。取り付けねじ４を取り外すことでスイッチ３を取り外すと共に前面蓋板２を取り外して配線収納部１の前面の開口を開放することができ、スイッチ３のメンテナンスが配線をチェックしながら容易にでき、また配線のメンテナンスも容易にできる。
【０００６】
【発明の実施の形態】
台所用のキャビネットＡは図３に示すように主キャビネットＡ１と主キャビネットＡ１の側部に並設したサイドキャビネットＡ２とで構成されている。主キャビネットＡ１はキャビネット本体５ａとキャビネット本体５ａを載設する下部の台輪５ｂとで構成されている。台輪５ｂは図７に示すように両側の側板部６と後側の背板部７とで平面から見て略コ字状になるように形成されており、台輪５ｂの背板部７の長手方向の中央の前側にはコ字状に枠組みされた中央支持枠８を一体に設けてある。キャビネット本体５ａは図３乃至図６に示すように、両側の側板９、後上桟１０、背板１１、地板１２、中下桟１３、中上桟１４、前板１５、前幕板１６等で形成されている。両側の側板９の手前側と反対の後部の上端間には後上桟１０を架設してあり、後上桟１０の両端を側板９に接合してある。両側の側板９間の後部の下部間には地板１２を架設してあり、地板１２の両端を側板９に接合してある。この地板１２の長手方向の中央は中央支持枠８の上方に位置している。後上桟１０、地板１２、両側の側板９で囲まれる後部開口には背板１１をはめ込むことで取り付けてある。地板１２の前側の縁部に沿って両側の側板９間に亙るように中下桟１３を架設してあり、中下桟１３を側板９や地板１２に結合してある。中下桟１３の上方に所定の間隔を隔てた位置には両側の側板９間に亙るように中上桟１４を架設してあり、中上桟１４の両端を側板９に結合してある。両側の側板９の手前側である前部の上部間には前板１５を架設してあり、前板１５の両端を側板９に結合してある。前板１５の前面側には前幕板１６を装着してある。
【０００７】
キャビネット本体５ａの前板１５と後上桟１０との間の空間はシンク１７を収納する空間となっており、シンク１７を収納して装着される。シンク１７の下方を覆うシンク下化粧板１８は前板１５の下端と中上桟１４との間に亙るように装着してある。キャビネット本体５ａの背板１１と中上桟１４や中下桟１３と地板１２との間の空間は配管収納空間Ｂとなっており、配管収納空間Ｂ内に給水や給湯等の配管を通し、カラン等に給水や給湯できるようになっている。また配管収納空間Ｂの前面側の開口には前面板１９を着脱自在に装着してある。配管収納空間Ｂの前面側には主キャビネットＡ１の幅方向の中央でシンク下化粧板１８から台輪５ｂの下端まで至る排水管収納空間Ｃを設けてある。この排水管収納空間Ｃは中央支持枠８と略同幅で背面を開口せる角筒状の化粧カバー材２０を装着することで化粧カバー材２０の内部の空間に形成されている。この排水管収納空間Ｃにはシンク１７の排水管が挿通され、化粧カバー材２０にて排水管が外観上見えないように覆われる。排水管収納空間Ｃの上端はシンク下化粧板１８の切り欠き２１に連通している。このようにして主キャビネットＡ１には両側の側板９、配管収納空間Ｂの前面板１９、排水管収納空間Ｃの化粧カバー材２０及びシンク下化粧板１８で囲まれて前方を開口せるオープスペースＳを設けてあり、オープスペースＳに椅子を収納したり、椅子に座った状態で足を入れて台所作業ができるようになっている。
【０００８】
またサイドキャビネットＡ２は図８、図９に示すように物品収納ボックス２２ａと物品収納ボックス２２ａの上に載設した配線収納ボックス２２ｂとで構成されている。物品収納ボックス２２ａは例えば調味料の収納部となるもので、両側の側板２３と上の天板２４と下の地板２５と背板２６とで前面を開口せる箱状に形成されている。この物品収納ボックス２２ａ内にトレイ２７を載設したワゴン２８を収納してあり、レール２９にてワゴン２８を移動自在にすることで物品収納ボックス２２ａの前面の開口からワゴン２８を出し入れ自在にしてある。ワゴン２８の前面には物品収納ボックス２２ａの前面開口を閉塞し得る前面化粧板３０を装着してあり、前面化粧板３０の上部に取っ手３１を装着してある。
【０００９】
配線収納ボックス２２ｂは両側の側板３３と下の地板３４と上の前桟３５や後桟３６とで前面、上面及び背面を開口せる箱状に形成されている。両側の側板３３の下端間には地板３４を装着してあり、両側の側板３３の前端の上端間には前桟３５を架設してあり、両側の側板３３の後端の上端間には後桟３６を架設してある。配線収納ボックス２２ｂの内部は配線収納部１となっており、図１や図２に示すように配線収納部１内には配線や接続用端子台３７を収納できるようになっている。配線収納部１の前面の開口にはこの開口を閉塞し得る大きさの前面蓋板２を配置してあり、前面蓋板２の中央に設けた取り付け穴にスイッチ３をはめ込んで取り付けることができるようになっている。配線収納部１の前面の開口の上下には取り付け桟３８を装着してある。上の取り付け桟３８は前桟３５に取着してあり、下の取り付け桟３８は地板３４に取着してある。スイッチ３はスイッチ本体３ａとスチッチ本体３ａを前面蓋板２に取り付けるための取り付け枠３ｂと前面を化粧する化粧カバー３ｃとで構成されている。スイッチ本体３ａには取り付け枠３ｂを一体に取着してあり、化粧カバー３ｃは取り付け枠３ｂに係合にて着脱自在に取り付けられるようになっている。化粧カバー３ｃを取り付けた状態では化粧カバー３ｃの窓３ｄからスイッチ本体３ａの押釦３ｅが露出するようになっている。配線収納部１内で地板３４には複数の接続用端子台３７を並べて装着してある。この接続用端子台３７は電線を差し込むだけで速結接続できるようになっている。電源線４２は配線収納部１内に導入してあり、電源線４２の端部をスイッチ３のスイッチ本体３ａに接続してある。スイッチ本体３ａから導出した出力線３９の端部は接続用端子台３７に接続してあり、電気機器への送り線４０の端部を接続用端子台３７に接続してある。スイッチ３や前面蓋板２を取り付ける場合、配線収納部１の前面の開口に前面蓋板２を配置し、化粧カバー３ｃを外したスイッチ３を前面蓋板２に配置し、タッピングビスのような取り付けねじ４を取り付け枠３ｂから前面蓋板２に貫通するように挿通し、取り付けねじ４の先端部を取り付け桟３８に螺合し、取り付け枠３ｂの前面側に化粧カバー３ｃを被嵌して装着する。上記のように配線収納部１内に配線を施した後、配線収納ボックス２２ｂの上面側にはカウンター４１が載設され、カウンター４１にて上面の開口が閉塞される。
【００１０】
ところで、スイッチ３のメンテナンスを行う場合、スイッチ３を取り外すが、スイッチ３の取り外しは、スイッチ３の化粧カバー３ｃを外し、取り付けねじ４を取り外すことで行う。取り付けねじ４を取り外すと、図１に示すようにスイッチ３が取り外される共に、前面蓋板２も取り外されて配線収納部１の前面が開口される。このためスイッチ３のメンテナンスを行うとき、前面蓋板２も取り外して行うことができて配線をチェックしながら行うことができてメンテナンスが容易にできる。また配線のメンテナンスも容易にできる。スイッチ３のメンテナンスを終えると、上記と逆に、配線収納部１の前面の開口に前面蓋板２を配置し、前面蓋板２に化粧カバー３ｃを外したスイッチ３を配置し、取り付け枠３ｂから前面蓋板２を介して取り付けねじ４を取り付け桟３８に螺合し、化粧カバー３ｃを被嵌して取り付ける。
【００１１】
【発明の効果】
本発明は叙述のように主キャビネットと主キャビネットの側部に並設したサイドキャビネットとで台所用のキャビネットを構成し、サイドキャビネットの上部に上面を開口した配線収納ボックスを設け、主キャビネットの上面側及びサイドキャビネットの配線収納ボックスの上面側に亙ってカウンターを載設してカウンターにて配線収納ボックスの上面の開口を閉塞し、内部の配線収納部に配線を収納した配線収納ボックスの前面の開口にこの開口を閉塞し得る前面蓋板を配置し、前面蓋板にスイッチをスイッチの表面側が前面蓋板の外面に露出するように配置し、スイッチから前面蓋板を介して配線収納ボックスに取り付けねじを打入することでスイッチを前面蓋板に取り付けると共に前面蓋板を配線収納ボックスに取り付けているので、取り付けねじを取り外すことでスイッチを取り外すと共に前面蓋板を取り外して配線収納部の前面の開口を開放することができるものであって、スイッチのメンテナンスが配線をチェックしながら容易にできると共に配線のメンテナンスも容易にできるものである。
【図面の簡単な説明】
【図１】  本発明の要部の一部を分解した状態の斜視図である。
【図２】  同上の組み立て状態で一部を省略した状態の斜視図である。
【図３】  同上の台所用のキャビネットの全体を示す正面図である。
【図４】  同上の主キャビネットの平面図である。
【図５】  図３のＸ−Ｘ線断面図である。
【図６】  図３のＹ−Ｙ線断面図である。
【図７】  図３のＺ−Ｚ線断面図である。
【図８】  同上のサイドキャビネットを示し、（ａ）は平面図、（ｂ）は正面図、（ｃ）は前面蓋板や前面化粧板を外した状態の正面図である。
【図９】  同上のサイドキャビネットの側面から見た断面図である。
【符号の説明】
Ａ  キャビネット
１  配線収納部
２  前面蓋板
３  スイッチ
４  取り付けねじ
【図１】
0003674130.tif 000002
【図２】
0003674130.tif 000003
【図３】
0003674130.tif 000004
【図４】
0003674130.tif 000005
【図５】
0003674130.tif 000006
【図６】
0003674130.tif 000007
【図７】
0003674130.tif 000008
【図８】
0003674130.tif 000009
【図９】
0003674130.tif 000010